(57)【要約】【課題】ウェット状態での清浄綿を冬季でも気持ち良く手軽に使用できる清浄綿パック用ポーチを提供する。【解決手段】開口１ａが閉じ部材２で開閉可能に閉じられる袋状のポーチ本体１内の厚み方向の両側部位に、ウェット状態の清浄綿Ｗを内包している使い捨て用清浄綿パックＰを収容するための清浄綿パック用収容部８Ａ，８Ｂおよび８Ｃ，８Ｄを設け、さらに、前記ポーチ本体１内に、前記両側の清浄綿パック用収容部８Ａ，８Ｂおよび８Ｃ，８Ｄにそれぞれ収容された清浄綿パックＰによって厚み方向からサンドイッチ状に挟まれた状態で前記清浄綿Ｗを温める懐炉Ｎを収容する懐炉用収容部９を設ける。【選択図】図２
2010162178.tif 000002
【特許請求の範囲】
【請求項１】
袋状のポーチ本体と、
前記ポーチ本体の開口を開閉可能に閉じる閉じ部材と、
前記ポーチ本体内の厚み方向の両側部位にそれぞれ設けられて、ウェット状態の洗浄綿を内包した使い捨て用清浄綿パックを収容する清浄綿パック用収容部と、
前記両側の清浄綿パック用収容部にそれぞれ収容された清浄綿パックによって厚み方向からサンドイッチ状に挟まれた状態で、前記清浄綿を温める懐炉を収容する懐炉用収容部と、
を備えている異を特徴とする清浄綿パック用ポーチ。
【請求項２】
前記両側の清浄綿パック用収容部は、ポーチ本体の横幅方向に複数設けられている請求項１に記載の清浄綿パック用ポーチ。
【請求項３】
前記閉じ部材は、ポーチ本体の開口端部に連成され、前側に折り返されて前記開口を閉じるカバーで構成されている請求項１または２に記載の清浄綿パック用ポーチ。
【請求項４】
前記懐炉は、使い捨てタイプである請求項１〜３のいずれか一つの項に記載の清浄綿パック用ポーチ。
【発明の詳細な説明】
【技術分野】
【０００１】
この発明は、例えばアルミニウムシート等でラミネートされたパック材にウェット状態の清浄綿を収容してある清浄綿パックを収容するための清浄綿パック用ポーチに関する。
【背景技術】
【０００２】
近年、ウェット状態にした清浄綿ないしはティッシュ等を容器に収容し、使用時に容器における引き出し口から洗浄綿等を引き出すようにした衛生用品が普及している。これは、乾燥状態のティッシュや清浄綿等とは違って常時ウェット状態に保持されているから、使用時に清浄綿等をわざわざ湿らしたりしなくても被清浄物体を綺麗に清浄化することができる利点がある。
【０００３】
とくに、ウェット状態の清浄綿をアルミラミネート等からなるパック材に収容してある清浄綿パックでは、外出時に携行して何時でも簡単に清浄綿を使用できる。これは、例えば、育児の各種の世話を行う際の清掃処理を速やかに行えることから重宝されている。
【０００４】
一方、従来、冷却材を構成する冷却基剤と冷却反応剤とを隔離して収容した袋に、被冷却材としての清浄綿を外袋に収容し、冷たい清浄綿が必要になった時に前記冷却基剤と冷却反応剤と反応させ、その時の冷却基材が冷える温度で清浄綿を冷却させるようにした技術が提案されている（例えば、特許文献１参照）。
【先行技術文献】
【特許文献】
【０００５】
【特許文献１】特開平８−３８５４０号公報
【発明の概要】
【発明が解決しようとする課題】
【０００６】
ところで、清浄綿は常時ウェット状態に保たれているから、夏場の使用時には、冷たい感じで結構気持ち良く使えるものの、冬季では、その冷たさがマイナスとなって敬遠されることもある。
【０００７】
しかし、前述の公知技術においては、冷却基材が冷える温度で清浄綿を冷却させるに過ぎず、冬場でも清浄綿を気持ち良く使用したい要求に対応することができない。
【０００８】
この発明は、上記実情に鑑みてなされたものであり、ウェット状態での清浄綿を冬季でも気持ち良く手軽に使用できる清浄綿パック用ポーチを提供することを課題としている。
【課題を解決するための手段】
【０００９】
上記課題は、以下の手段によって解決される。
【００１０】
［１］袋状のポーチ本体と、
前記ポーチ本体の開口を開閉可能に閉じる閉じ部材と、
前記ポーチ本体内の厚み方向の両側部位にそれぞれ設けられて、ウェット状態の洗浄綿を内包した使い捨て用清浄綿パックを収容する清浄綿パック用収容部と、
前記両側の清浄綿パック用収容部にそれぞれ収容された清浄綿パックによって厚み方向からサンドイッチ状に挟まれた状態で、前記清浄綿を温める懐炉を収容する懐炉用収容部と、
を備えている異を特徴とする清浄綿パック用ポーチ。
【００１１】
［２］前記両側の清浄綿パック用収容部は、ポーチ本体の横幅方向に複数設けられている前項１に記載の清浄綿パック用ポーチ。
【００１２】
［３］前記閉じ部材は、ポーチ本体の開口端部に連成され、前側に折り返されて前記開口を閉じるカバーで構成されている前項１または２に記載の清浄綿パック用ポーチ。
【００１３】
［４］前記懐炉は、使い捨てタイプである前項１〜３のいずれか一つの項に記載の清浄綿パック用ポーチ。
【発明の効果】
【００１４】
前項［１］の発明によれば、ポーチ本体における厚み方向の両側の清浄綿パック用収納部にそれぞれ清浄綿パックを入れ、さらに、懐炉用収容部に懐炉を収容すれば、懐炉は清浄綿パックで厚み方向から挟まれた状態となるから、懐炉の発熱剤や熱源から発せられた熱が清浄綿パックに伝達されず外部に漏れることを低減することができ、各清浄綿パックを効率的に温めることができる。
【００１５】
このため、例えば、外出中に乳幼児のお尻を拭いたりする際には、前記清浄綿パック内の清浄綿が温められているから、乳幼児の肌に対して冬季であってもウェット状態でありながら温かい感触を与えて機嫌の良い状態での世話が可能となる。
【００１６】
前項［２］の発明によれば、ポーチ本体内に清浄綿パックを増やして収容量を増やすことができうえ、それら洗浄綿パックを一つの懐炉で温めることができ、外出中等に清浄綿が不足したりすることも少なくなる。
【００１７】
前項［３］の発明によれば、ポ−チ本体の開口端部にカバーが連成されているので、部品点数が増えることもなく、安価で作りやすい。
【００１８】
前項［４］に記載の発明によれば、使い捨て懐炉を使用するので、安価で手軽に用いることができる。
【図面の簡単な説明】
【００１９】
【図１】この発明の実施形態に係る清浄綿パック用ポーチを閉じた状態で示す斜視図である。
【図２】同じく清浄綿パック用ポーチを開放状態で示す斜視図である。
【図３】図１のＺ−Ｚ線に沿った断面図である。
【発明を実施するための形態】
【００２０】
以下、この発明の実施形態を図面に基づいて説明する。
【００２１】
図１は、この発明の実施形態に係る清浄綿パック用ポーチを閉じた状態で示す斜視図、図２は、同じく清浄綿パック用ポーチを開放状態で示す斜視図、図３は、図１のＺ−Ｚ線に沿った断面図である。
【００２２】
図１〜図３において、この清浄綿パック用ポーチＡに収容される清浄綿パックＰは、例えば、四角形のアルミニウムシート等を袋状にラミネートしたパック材Ｍと、このパック材Ｍ内に収容されたウェット状態の清浄綿Ｗとから構成されており、使い捨て用となっている。
【００２３】
パック材Ｍは、ウェット状態の清浄綿Ｗの収容後、その周縁部をシールして該清浄綿Ｗをウェット状態に保持してある。使用時に、パック材Ｍの所定個所や適当な辺縁部を切り裂けば、簡単に清浄綿Ｗを取り出すことができるようになっている。
【００２４】
前記清浄綿パック用ポーチＡは、例えば、不織布を使って袋状に縫製されて、上側が開放されたポーチ本体１と、その上端開口１ａを覆うカバー２とかなる。
【００２５】
勿論、ポーチ本体１の構成材は、例えばデニム生地や皮革等を任意に選択して使用することができるが、この例のように、不織布を使えば、比較的安価に製作できる他、手触り感も良く、また、浮遊ウィルスや花粉等の侵入を防ぐ効果も発揮される。
【００２６】
前記カバー２は、ポーチ本体１における後布１Ｂ側上端に連成されるとともに、連成部位２１が、前記上端開口１ａを閉じるためにポーチ本体１における前布１Ａ側に折り返される折り返し部として構成されている。
【００２７】
また、このカバー２の先端部２ａの裏面と、ポーチ本体１における前布１Ａの表面との一方には、面ファスナーを構成するフック部４が取り付けらており、他方には、該面ファスナーを構成するループ５が取り付けられている。勿論、面ファスナーに限らず、ボタンやホック（フック）等の他の止め部材を使用してよい。
【００２８】
また、ポーチ本体１の開口１ａを開閉可能に閉じる部材は、カバー２に限らず、例えば線ファスナー等を使用して閉じるようにすることもできる。その場合、開閉が速やかに行えるうえ、閉じた状態がしっかりと保持される。
【００２９】
なお、線ファスナーとしては、樹脂製の凹状レールと凸状レールとを弾性的に嵌合させるレールファスナーが気密性が確保されて好適に使用できる。
【００３０】
前記ポーチ本体１の内部には、その厚み方向（前後方向：矢印ｘ方向）において襠幅を、例えば略３分するように前後２つの仕切り布６，７が左右方向（横幅方向：矢印ｙ方向）の一端から他端まで延びて縫い付けられており、さらに、両仕切り布６，７の略中央部６ａ，７ａは、それぞれポーチ本体１における前後の布６，７に縫い付けられている。
【００３１】
つまり、前記２つの仕切り布６，７により、ポーチ本体１の内部における前布１Ａと前側仕切り布６との間には、左右方向において、前記中央縫い付け部６ａを境にして２つの清浄綿パックＰの収納部８Ａ，８Ｂが直列状に形成される一方、後布１Ｂと後側仕切り布７との間にも、左右方向において、前記中央縫い付け部７ａを境にして２つの清浄綿パックＰの収納部８Ｃ，８Ｄが直列状に形成されている。これら洗浄綿パック用収容部８Ａ〜８Ｄには、洗浄綿パックＰが立てて収容される。
【００３２】
前記ポーチ本体１の内部において、両仕切り布６，７との間（ポーチ本体１における前側の清浄綿パック用収納部８Ａ，８Ｂと後側の清浄綿パック用収納部８Ｃ，８Ｄとの間）には、例えば一つの懐炉Ｎを立てて収容する懐炉用収容部９として構成されている。つまり、懐炉用収容部９に立てて収容された懐炉Ｎは、前側の清浄綿パック用収容部８Ａ，８Ｂと後側の清浄綿用収納部８Ｃ，８Ｄとで厚さ方向からサンドイッチ状に挟まれた状態となって、それらの清浄綿パックＰ内の清浄綿Ｗを厚み方向から温めるようになっている。
【００３３】
前記懐炉Ｎとして、この例では、いわゆる使い捨て懐炉が使用されている。これは、周知のように、袋状の収納材Ｆ内に酸化作用で発熱する鉄粉等の発熱材Ｈが収容されたものが一般的であり、安価で手軽に使用できる。
【００３４】
つぎに、上記のように構成された清浄綿パック用ポーチの使用方法について説明する。
【００３５】
例えば、乳幼児等の世話をするにあたって、ポーチ本体１における前側の清浄綿パック用収容部８Ａ，８Ｂと後側の清浄綿用収納部８Ｃ，８Ｄとにそれぞれ清浄綿パックＰを１ないし２パック程度ずつ立てて収容し、さらに、ポーチ本体１における懐炉用収容部９に懐炉Ｎを立てて収容しておく。そうしておけば、懐炉Ｎにおける発熱剤Ｈが発熱し、その熱が前記各清浄綿パックＰに対して伝達されて清浄綿Ｗが温められる。
【００３６】
この際、懐炉Ｎは清浄綿パックＰによって厚み方向から挟まれた状態となるから、懐炉Ｎから発せられた熱が清浄綿パックＰに伝達されず外部に漏れることを低減することができ、効率的に清浄綿パックＰを温めることができる。
【００３７】
このため、自宅ないしは外出中等で清浄綿Ｗを使って乳幼児のお尻を拭いたりする場合に、前記ポーチＡから清浄綿パックＰを取り出して、パック材Ｍから洗浄綿Ｗを取り出せば、清浄綿Ｗが温められている状態であるので、冬季であっても、冷たい清浄綿Ｗで乳幼児の機嫌を損なわせるようなこともなくなり、温かい清浄綿Ｗで乳幼児に気持ちの良い感触を与えながら拭き取り作業を速やかに行うことができる。
【００３８】
なお、前側の清浄綿パック用収納部８Ａ，８Ｂおよび後側の清浄綿パック用収納部８Ｃ，８Ｄの数は、２つに限らず、適宜増減可能である。
【００３９】
また、この実施形態では、使い捨てタイプの懐炉Ｎを収容する例で説明したが、これに限らず、例えば充電式の懐炉等、非使い捨てタイプのものをポーチＡに収容して使うことも可能である。
【産業上の利用可能性】
【００４０】
ウェット状態の清浄綿が収容された清浄綿パックを収容する清浄綿パック用ポーチに利用可能である。
【符号の説明】
【００４１】
１  ポーチ本体
１ａ  開口
２  閉じ部材（カバー）
８Ａ〜８Ｄ  清浄綿パック用収容部
９  懐炉用収容部
Ｎ  懐炉
Ｐ  清浄綿パック
Ｗ  清浄綿
【図１】
2010162178.tif 000003
【図２】
2010162178.tif 000004
【図３】
2010162178.tif 000005